(57)【要約】【課題】  低コスト、且つ高製造効率で製造することができ、しかも、偽造や変造に対する高い防御機能を持ったＩＣカードを実現する。【解決手段】  カード所有者と特定する情報をＩＣに書き込むとともに、ＩＣに書き込んだ情報を画像としてインクジェット法により券面に記録する。【選択図】        図７
2005135145.tif 000002
【特許請求の範囲】
【請求項１】
情報が、カードの少なくとも１面に画像として記録されるとともに、前記カードに内蔵されているＩＣに記録されているＩＣカードにおいて、
前記ＩＣに記録されているカード所有者を特定する情報が、該カード所有者毎に異なる画像としてインクジェット法により少なくとも前記１面に記録されていることを特徴とするＩＣカード。
【請求項２】
前記画像には、目視では読み取ることができない画像が含まれることを特徴とする請求項１に記載のＩＣカード。
【請求項３】
前記画像は、６００ｄｐｉ〜９６００ｄｐｉ（ｄｐｉは２５．４ｍｍ当りのドット数）の解像度で形成されたことを特徴とする請求項１又は請求項２に記載のＩＣカード。
【請求項４】
前記ＩＣには、バイオメトリクス情報が記録されていることを特徴とする１〜３のいずれか１項に記載のＩＣカード。
【請求項５】
前記画像は、２次元コードを有することを特徴とする請求項１〜４のいずれか１項に記載のＩＣカード。
【請求項６】
前記画像は、鱗片顔料を含有する層により形成され、反射角度により色が変わる画像を有することを特徴とする請求項１〜５のいずれか１項に記載のＩＣカード。
【請求項７】
前記画像は、マイクロ画像を有することを特徴とする請求項１〜６のいずれか１項に記載のＩＣカード。
【請求項８】
保護層を有することを特徴とする請求項１〜７のいずれか１項に記載のＩＣカード。
【請求項９】
前記保護層は、エネルギー硬化樹脂からなることを特徴とする請求項１〜８のいずれかに記載のＩＣカード。
【請求項１０】
前記保護層は、インクジェット法により形成されたことを特徴とする請求項８又は請求項９に記載のＩＣカード。
【請求項１１】
前記画像に、各カード所有者に特有の暗号化された情報が記録されていることを特徴とする請求項１〜１０のいずれか１項に記載のＩＣカード。
【請求項１２】
ＩＣに情報を書き込む工程、
インクジェット法により、前記情報の少なくとも一部に対応し、カード所有者毎に異なる情報を画像としてカード素材に書き込む工程及び、
前記ＩＣを前記カード素材に組み込む工程、
を有することを特徴とするＩＣカードの製造方法。
【請求項１３】
前記画像を形成するインクジェットヘッド及び保護層を形成するインクジェットヘッドを用いて、画像形成及び前記保護層の形成をほぼ同時に行うことを特徴とする請求項１２に記載のＩＣカードの製造方法。
【請求項１４】
インクジェット記録装置、ＩＣカードに記録する情報を記憶した記憶装置、ＩＣに情報を書き込む書込装置及び制御装置を有し、
前記制御装置は、カード所有者を特定する情報を前記記憶装置から読み出し、読み出した前記情報に基づいて、前記インクジェット記録装置が画像記録を行い、前記書込装置が前記ＩＣへの情報書込を行うように、前記インクジェット記録装置及び前記書込装置を制御することを特徴とするＩＣカードの製造装置。
【発明の詳細な説明】
【技術分野】
【０００１】
本発明は、ＩＤカード、キャッシュカード、クレジットカード等のカードであり、情報を記憶したＩＣを内蔵するＩＣカードに関する。
【背景技術】
【０００２】
ＩＣカードは一般に、カードの券面に写真、氏名等のようにカード所有者を特定する情報が画像として形成されるとともに、ＩＣに様々な情報が記録されたものである。ＩＣに記録される情報としては、たとえば、キャッシュカードでは、カード所有者の氏名、口座番号、残高、暗証番号等がある。そして、画像は、印刷、銀塩写真法、昇華転写法等により形成される。また、特許文献１ではインクジェット法によりカードに画像を形成することが開示されている。
【０００３】
一方、不正な複写等の偽造防止には、たとえば、特許文献２では、マイクロ文字からなる模様が用いられている。
【特許文献１】特開２００２−３０７８７４号公報
【特許文献２】特開平６−１９９０８６号公報
【発明の開示】
【発明が解決しようとする課題】
【０００４】
カードの偽造を防止するには、個々のカードを特定することができるように、個々のカードに特有の画像を形成することが有効であるが、従来一般的に用いられている印刷法では、カード毎に異なる画像を形成することが、画像形成の効率やコスト上きわめて困難であるために、たとえば、特許文献２のように不正な複写を防止するという観点からの偽造防止にとどまっていた。
【０００５】
銀塩写真法は画像形成に長時間を要するために、大量のカード製造には適さないという問題があるとともに、現像処理装置等の大規模な装置が必要であり、コストが高くなるという問題がある。
【０００６】
また、昇華転写法は、イエロー、マゼンタ、シアン、黒及び保護層の５色のリボンを順次使用して画像を形成するために、生産性がよくないという問題がある。また、適正な昇華転写を実現するには、カードとリボンを適切に密着させる必要があり、カード表面に凹凸があったり、ゴミ等の異物が付着すると、印刷ムラができるという問題があり、特に、マイクロ文字の画像等のマイクロ画像は微細な印刷ムラでも影響が大きく、記録の信頼性に問題がある。さらに、昇華転写用のリボンは高価であるために、ランニングコストが高くなるという問題がある。従って、昇華転写法により画像形成を行って偽造防止したカードを製造する方法には、画質上や製造コスト上の問題がある。
【０００７】
特許文献１ではインクジェット法により画像を形成してカードを作製することが提案されているが、偽造防止に関して考慮されていないために、特許文献１により作製されたカードは容易に偽造される可能性がある。
【０００８】
このように、従来のカード或いはカードの製造方法では、いずれも、偽造や変造に対する防御機能を高めようとすると生産性が極度に低下したり、防御機能が不十分であったりするという問題がある。
【０００９】
本発明は、従来のカードに関する偽造・変造防止技術におけるこのような問題を解決することを目的とする。
【課題を解決するための手段】
【００１０】
本発明の前記目的は、下記の発明により達成される。
【００１１】
１．
情報が、カードの少なくとも１面に画像として記録されるとともに、前記カードに内蔵されているＩＣに記録されているＩＣカードにおいて、
前記ＩＣに記録されているカード所有者を特定する情報が、該カード所有者毎に異なる画像としてインクジェット法により少なくとも前記１面に記録されていることを特徴とするＩＣカード。
【００１２】
２．
前記画像には、目視では読み取ることができない画像が含まれることを特徴とする前記１に記載のＩＣカード。
【００１３】
３．
前記画像は、６００ｄｐｉ〜９６００ｄｐｉ（ｄｐｉは２５．４ｍｍ当りのドット数）の解像度で形成されたことを特徴とする前記１又は前記２に記載のＩＣカード。
【００１４】
４．
前記ＩＣには、バイオメトリクス情報が記録されていることを特徴とする１〜３のいずれか１項に記載のＩＣカード。
【００１５】
５．
前記画像は、２次元コードを有することを特徴とする前記１〜４のいずれか１項に記載のＩＣカード。
【００１６】
６．
前記画像は、鱗片顔料を含有する層により形成され、反射角度により色が変わる画像を有することを特徴とする前記１〜５のいずれか１項に記載のＩＣカード。
【００１７】
７．
前記画像は、マイクロ画像を有することを特徴とする前記１〜６のいずれか１項に記載のＩＣカード。
【００１８】
８．
保護層を有することを特徴とする前記１〜７のいずれか１項に記載のＩＣカード。
【００１９】
９．
前記保護層は、エネルギー硬化樹脂からなることを特徴とする前記１〜８のいずれかに記載のＩＣカード。
【００２０】
１０．
前記保護層は、インクジェット法により形成されたことを特徴とする前記８又は前記９に記載のＩＣカード。
【００２１】
１１．
前記画像に、各カード所有者に特有の暗号化された情報が記録されていることを特徴とする前記１〜１０のいずれか１項に記載のＩＣカード。
【００２２】
１２．
ＩＣに情報を書き込む工程、
インクジェット法により、前記情報の少なくとも一部に対応し、カード所有者毎に異なる情報を画像としてカード素材に書き込む工程及び、
前記ＩＣを前記カード素材に組み込む工程、
を有することを特徴とするＩＣカードの製造方法。
【００２３】
１３．
前記画像を形成するインクジェットヘッド及び保護層を形成するインクジェットヘッドを用いて、画像形成及び前記保護層の形成をほぼ同時に行うことを特徴とする前記１２に記載のＩＣカードの製造方法。
【００２４】
１４．
インクジェット記録装置、ＩＣカードに記録する情報を記憶した記憶装置、ＩＣに情報を書き込む書込装置及び制御装置を有し、
前記制御装置は、カード所有者を特定する情報を前記記憶装置から読み出し、読み出した前記情報に基づいて、前記インクジェット記録装置が画像記録を行い、前記書込装置が前記ＩＣへの情報書込を行うように、前記インクジェット記録装置及び前記書込装置を制御することを特徴とするＩＣカードの製造装置。
【発明の効果】
【００２５】
請求項１〜１４のいずれかの発明により、偽造や変造を防止することが出来るＩＣカードを低コスト、且つ、高い製造効率で製造することができるとともに、不良率をきわめて低く抑えることができる。
【００２６】
請求項２、３、６又は７の発明により、特に、通常のカラー複写機による複写が不可能であり、しかも、画像の貼り替え等の変造を確実に発見出来るＩＣカードが実現される。
【００２７】
請求項２、３又は６の発明により、更に、確実に偽造や変造を防止することができるＩＣカードが実現される。
【００２８】
請求項８〜１０又は１２のいずれかに記載の発明により、堅牢性の高いＩＣカードが実現される。
【００２９】
請求項１０又は請求項１３の発明により、画像形成及び保護層形成が一工程で行うことができるので、製造ラインが短縮され、高い製造効率でＩＣカードを製造することが出来る。
【００３０】
請求項１１〜１４のいずれかの発明により、偽造や変造を防止することが出来るＩＣカードを低コスト、且つ、高い製造効率で製造することができるとともに、不良率をきわめて低く抑えることができる。さらに製造設備は、小規模、且つ、安価なものとなる。
【００３１】
請求項１１の発明により、偽造や変造を確実に防止することが可能であり、且つ、このような不正に作製されたカードを確実に検出することが可能となる。特に、請求項１１の発明に係るカードは、目視では正当に作製されたものから識別することが不可能であるのみならず、カード所有者の情報に基づいて作製された変換パラメータを用いなければ画像再現が不可能であるので、カードを偽造等の不正行為に対して完全に防御することができる。
【発明を実施するための最良の形態】
【００３２】
以下、本発明を実施の形態を用いて説明するが、本発明は以下の実施の形態に限られない。図１は本発明の実施の形態に係るＩＣカードの例の断面図である。
【００３３】
図１（ａ）において、ＩＣカード１は、コアシート２、保護層３、インク受容層４、ＩＣチップ５及びアンテナ６で構成される。
【００３４】
ＩＣチップ５はＩＣメモリ又はＩメモリとＣＰＵとからなり、アンテナ６は導電性金属層からなりＩＣの駆動電流を生成する。なお、ＩＣカードには接触式、非接触式があるが、接触式カードにおいては、アンテナ６は不要である。
【００３５】
インク受容層４には像７がインクジェット法により形成される。
【００３６】
コアシート２は厚さ５００〜８３０μｍを有し、図示のように、凹部が形成され、該凹部には、ＩＣチップ５及びアンテナ６が収容される。なお、図１（ｂ）のように、コアシートを２ａ、２ｂからなる２枚構成とし、上のコアシート２ａに穴を設けることにより、ＩＣチップ５及びアンテナ６を収容する凹部を形成する構成とすることもできる。
【００３７】
コアシート２の好ましい材料としては、塩化ビニル、ポリエステル、ポリスチレン、ポリプロピレン、ＡＢＳ樹脂と言った公知の樹脂基体及びこれらの貼合基体、基紙、コート紙等が使用できる。
【００３８】
特に好ましい基体としては２軸延伸ポリエステルフィルムの両側にポリオレフィンをラミネートしたものが好ましい。ポリエステルとしては、従来から公知の方法で製造されるものを使用することができ、たとえば、ポリエチレンテレフタレート等を挙げることができる。ポリオレフィン層に使用されるポリオレフィンとしては、たとえば、ポリエチレン、ポリプロピレン、ポリブテン、ポリスチレン、エチレン−プロピレン共重合体、エチレン−酢酸ビニル共重合体等を挙げることができる。ポリオレフィン層に使用される樹脂はコポリマーであってもよい。特にポリプロピレンは耐熱性等の点で好ましい。ポリオレフィンおよびポリエステルフィルムの接着層としては、通常、一般に用いられる水溶液型、エマルジョン型、溶剤型、無溶剤型接着剤や固体状接着剤、あるいはフィルム、テープ、ウェブ状接着剤等を使用することができ、たとえば、にかわ、デンプン等の天然高分子系接着剤、酢酸セルロース等の半合成天然高分子系接着剤、酢酸ビニル、塩化ビニル樹脂等の熱可塑性樹脂系接着剤、エポキシ、ウレタン等の熱硬化性樹脂系接着剤、クロロプレン、ＮＢＲ等のゴム系接着剤、ケイ酸塩系、アルミナセメント、低融点ガラス等の無機高分子系接着剤、アクリル、エポキシ等の紫外線硬化型接着剤等を挙げることができる。
【００３９】
基体の白色隠蔽性が不足している場合、白色隠蔽層を基体の中間層に形成することが特に好ましい。白色隠蔽層としては、樹脂に白色顔料を含有させることにより形成することができる。上記白色顔料としては、たとえば、チタンホワイト、炭酸マグネシウム、酸化亜鉛、硫酸バリウム、シリカ、タルク、クレー、炭酸カルシウム等を挙げることができる。
【００４０】
保護層３は厚さ１０〜１００μｍの透明又は半透明の層であり、オーバーラミネート層又はオーバコート層で形成することができる。オーバーラミネート層には、塩化ビニルフィルム、非結晶性のポリエステルフィルム、ポリカーボネートフィルム、ＡＢＳ樹脂フィルム等が好ましく用いられ、オーバーラミネート層はポリエステル、エチレン酢酸ビニル共重合体、ポリアミド、熱可塑性ゴム等の接着剤によりコアシート２に接着される。
【００４１】
オーバーコート層には、紫外線硬化樹脂、熱硬化性樹脂のようにエネルギーを加えることにより、硬化するエネルギー硬化樹脂が好ましく用いられる。すなわち、エネルギー硬化樹脂の溶液又は分散液を塗布後、紫外線、熱等で処理して硬化させることによりオーバーコート層からなる保護層３が形成される。
【００４２】
オーバーコート層を形成する紫外線硬化樹脂としては、紫外線照射によって硬化してなる実質的に透明な硬化保護層を画像面側の最外保護層として形成するのが好ましく、該オーバーコートは紫外線硬化性樹脂を含有するコーティング剤を塗布し、紫外線を照射することによって形成することができる。
−コーティング剤−
このコーティング剤は、紫外線硬化性のプレポリマーと重合開始剤とを主成分とする組成物によって形成することができる。
【００４３】
紫外線硬化性のプレポリマーとしては、１分子内にエポキシ基を２個以上含有するプレポリマーを挙げることができる。このようなプレポリマーとしては、例えば、脂環式ポリエポキシド類、多塩基酸のポリグリシジルエステル類、多価アルコールのポリグリシジルエーテル類、ポリオキシアルキレングリコールのポリグリシジルエーテル類、芳香族ポリオールのポリグリシジルエーテル類、芳香族ポリオールのポリグリシジルエーテル類の水素添加化合物類、ウレタンポリエポキシ化合物類およびエポキシ化ポリブタジエン類などが挙げられ、これらは単独で使用することも２種以上併用することもできる。又、コーティング剤中のこのプレポリマーの含有量は７０重量％以上であることが好ましい。
【００４４】
重合開始剤としては、カチオン重合開始剤が好ましく、具体的には、芳香族オニウム塩を挙げることができる。この芳香族オニウム塩として、ホスホニウム塩のような周期律表第Ｖａ族元素の塩（例えばヘキサフルオロリン酸トリフェニルフェナシルスルホニウムなど）、スルホニウム塩のような第VIａ族元素の塩（例えばテトラフルオロホウ酸トリフェニルスルホニウム、ヘキサフルオロリン酸トリフェニルスルホニウム、ヘキサフルオロリン酸トリス（４−チオメトキシフェニル）スルホニウムおよびヘキサフルオロアンチモン酸トリフェニルスルホニウムなど）、およびヨードニウム塩のような第VIIａ族元素の塩（例えば塩化ジフェニルヨードニウムなど）を挙げることができ、スルホニウム塩、中でも、紫外線硬化性と組成物の貯蔵安定性の点でヘキサフルオロアンチモン酸トリアリールスルホニウムが好ましい。これらのコーティング剤中の含有量は、３〜２０重量％が好ましく、特に５〜１２重量％が好ましい。
【００４５】
紫外線硬化性の樹脂としては、前記エポキシ系硬化性樹脂に限られず、ラジカル重合性の樹脂、例えば単官能性あるいは多官能性アクリレート化合物を挙げることができる。
【００４６】
コーティング剤中には、更に油類（特にシリコーン油）、シリコーン−アルキレンオキシド共重合体（たとえばユニオンカーバイト社から市販されているＬ−５４１０）のような界面活性剤、シリコーン油含有脂肪族エポキシド類、３Ｍ社から市販されているＦＯ−１７１および３Ｍ社から市販されているＦＯ−４３０、大日本インキ株式会社から市販されているＭｅｇａｆａｃ  Ｆ−１４１のようなフルオロカーボン界面活性剤等を含有させてもよい。
【００４７】
このコーティング剤中には、さらに、たとえば、スチレン、パラメチルスチレン、メタクリル酸エステル、アクリル酸エステル等のビニル単量体やセルロース系、熱可塑性ポリエステル、フェニルグリシジンエーテル、ケイ素含有モノエポキシド、ブチルグリシジルエーテル等のモノエポキシ等が、この発明の効果を阻害しない範囲で含有されていてもよい。
【００４８】
熱硬化性樹脂としては、熱硬化性アクリル樹脂、不飽和ポリエステル樹脂、エポキシ樹脂、ポリアミド樹脂、シリコーン樹脂、アミノ樹脂、アルキド樹脂、フェノール樹脂等が好ましく用いられる。
【００４９】
インク受容層４は、インクジェット方式の記録に対して記録適性を有するものであれば特に限定しないが、インクジェット記録が保護層３を透して視認可能なインク受容層である必要がある。インク受容層としては、水溶性樹脂系受容層、顔料系受容層などインクジェット記録適性を有する公知の記録層が適用できる。
【００５０】
水溶性樹脂系受容層は、水やアルコール等の水性溶媒に可溶な水溶性樹脂を主体としたものであり、従来公知の種々のものが用いられる。例えば、ポリビニルアルコールやポリビニルピロリドン、ポリ（メタ）アクリル酸、セルロース系樹脂（ＣＭＣ、ＨＥＣ、ＨＰＣ等）、ポリアクリルアミド、ポリエチレンオキサイド、ポリエチレングリコール、ポリビニルアセタール系樹脂、ポリビニルメチルエーテル、ポリアミン、ポリエチレンイミン、カゼイン、ゼラチン、でんぷん等の水溶性樹脂及び／またはこれらの共重合体、カチオン／アニオン変性物等の少なくとも１種以上が用いられる。
【００５１】
顔料系受容層は、各種顔料およびバインダー等からなる。顔料としては、例えば、ゼオライト、軽質炭酸カルシウム、重質炭酸カルシウム、炭酸マグネシウム、カオリン、タルク、硫酸カルシウム、硫酸バリウム、酸化チタン、酸化亜鉛、硫化亜鉛、炭酸亜鉛、サチンホワイト、ケイ酸アルミニウム、ケイソウ土、焼成クレ−、ケイ酸カルシウム、ケイ酸マグネシウム、コロイダルシリカ、非晶質シリカ、水酸化アルミニウム、コロイダルアルミナ、アルミナ、アルミナ水和物等の一般塗工紙のコ−ト剤に使用されている顔料を挙げることができる。インク受容層に使用し得るより好ましい顔料として、コロイダルシリカ、非晶質シリカ、水酸化アルミニウム、アルミナ、アルミナ水和物を挙げることができる。これらは単独あるいは２種以上を混合して用いることができる。
【００５２】
インク受容層に使用し得るバインダーとして、例えば酸化澱粉、エーテル化澱粉等の澱粉誘導体、カルボキシメチルセルロース、ヒドロキシエチルセルロース等のセルロース誘導体、カゼイン、ゼラチン、大豆タンパク、完全ケン化ポリビニルアルコール、部分ケン化ポリビニルアルコール、ケイ素変性ポリビニルアルコール、アセトアセチル基変性ポリビニルアルコール、スチレン−無水マレイン酸共重合体の塩、スチレン−ブタジエン系ラテックス、アクリル系ラテックス、ポリエステルポリウレタン系ラテックス、酢酸ビニル系ラテックス等の水性接着剤、或いはポリメチルメタクリレート、ポリウレタン樹脂、不飽和ポリエステル樹脂、塩化ビニル−酢酸ビニルコポリマー、ポリビニルブチラール、アルキッド樹脂等の有機溶剤可溶性樹脂等が挙げられる。これらは単独あるいは２種以上を混合して用いられる。
【００５３】
また、インク受容層中には、インク受容層中にカチオン性樹脂を配合することができる。インク受容層に使用し得るカチオン性樹脂としては、例えば、ポリジアリルアミン塩酸塩、ジアリルアミン塩酸塩・アクリルアミド共重合物、ポリジアリルジメチルアンモニウムクロライド、ジアリルジメチルアンモニウムクロライド・アクリルアミド共重合物、ジアリルジメチルアンモニウムクロライド・二酸化イオウ共重合物、ポリアリルアミン塩酸塩、アリルアミン塩酸塩・ジアリルアミン塩酸塩共重合体、Ｎ−ビニルアクリルアミジン塩酸塩・アクリルアミド共重合体、エピクロロヒドリン・ジアルキルアミン付加重合物、ポリアミドポリアミンエピクロロヒドリン重合物、ジシアンジアミド・ホルマリン重縮合物、ジシアンジアミド・ポリエチレンアミン重縮合物、ポリエチレンイミン塩酸塩、ポリ（メタ）アクリロイルオキシアルキルトリアルキルアンモニウムクロライド、ポリ（メタ）アクリロイルオキシアルキルトリアルキルアンモニウムクロライド・アクリルアミド共重合体、ポリ（メタ）アクリルアミドアルキルトリアルキルアンモニウムクロライド、ポリ（メタ）アクリルアミドアルキルトリアルキルアンモニウムクロライド・アクリルアミド共重合体等が挙げられる。これらは単独あるいは２種以上を混合して用いられる。カチオン樹脂を配合すると、記録後の積層の際に、例えば熱圧着の際の熱により、インクが移動することを防ぐことができる。
【００５４】
なお、画像が保護層３を透して視認可能な範囲であればインク受容層は、オーバーラミネートシートに単層あるいは２層以上形成してもよい。オーバーラミネートシート上へのインク受容層形成の方法としては、グラビアコーティング、ナイフコーティング、ダイコーティング等の公知の塗工方式やスクリーン印刷、フレキソ印刷等の公知の印刷方式が採用できるほか、カード面の一部に本発明を適用する場合はスクリーン印刷、フレキソ印刷等の公知の印刷方式が使用できる。
【００５５】
本発明においては、インクジェット法により画像が形成される。インクジェット法としては、ピエゾ型、サーマル型、静電型等従知られている任意の記録方式を用いることができるが、解像度６００ｄｐｉ〜９６００ｄｐｉのものが特に好ましい。なお、ｄｐｉは２４．５ｍｍ当たりのドット数である。６００ｄｐｉよりも解像度が低いと、偽造防止性能が劣るものとなる。また、９６００ｄｐｉよりも高い解像度の記録装置は大規模、且つ、高価にる。特に、後に説明するマイクロ画像の形成には、解像度６００ｄｐｉ〜９６００ｄｐｉで記録することが有効である。インクジェット法はこのような高解像度の画像を形成するのにきわめて好適であり、しかも、フルカラー画像を形成することが出来るので、膨大な情報をインクジェット法により記録することが可能となる。
【００５６】
図２は、ピエゾ型のインクジェット記録装置であって、本発明において用いられ、また、本発明の実施の形態に係る製造装置を構成するインクジェット記録装置の例を示す。
【００５７】
キャリッジ２２はヘッドドライバーＩＣ（図示せず）、インクジェットヘッド（図示せず）（以下、単にヘッドと言う場合あり）、プリント基板（図示せず）、ヒートシンク（図示せず）等を納めた樹脂性のケースである。ヘッドは、例えば、イエロー（Ｙ）、マゼンタ（Ｍ）、シアン（Ｃ）、ブラック（Ｋ）各色１２８個のノズルを備える。キャリッジ２２に納めたヘッドドライバーＩＣは、キャリッジ２２から引き出されたフレキシブルケーブル２５で制御基板２９と接続されている。
【００５８】
キャリッジ２２は、キャリッジ２２を往復走査させる駆動手段であるキャリッジ駆動機構２６により、図中矢印Ｘで示した方向に往復走査させることが可能である。キャリッジ駆動機構２６は、モータ２６ａ、プーリ２６ｂ、２６ｂ′、平滑なベルト状伝導手段であるベルト２６ｃ、ガイドレール２６ｄを含んで構成されていて、キャリッジ２２はベルト２６ｃに固着されている。
【００５９】
ベルト２６ｃはうすいベルト厚で平滑な帯状を有し、２つのプーリ２６ｂと２６ｂ′間に張架されてある程度の張力が付与された状態にある。ベルト２６ｃは平滑性を有しプーリ２６ｂと２６ｂ′間に大きな張力で張架されても耐え得る強度を有し、キャリッジ２２に安定した駆動力を伝達可能なものであればよく、ステンレス製ベルトが代表的なベルトとして挙げられる。ステンレス製ベルトは長期にわたり耐久性を維持可能であるとともにインクの付着等により腐食することがなく耐腐食性を有する点からも好ましい。
【００６０】
また、本発明に係るインクジェットプリンタに好ましく用いられるステンレス以外のベルト部材としては、たとえばポリウレタンのような樹脂やイソプレンやクロロプレンのようなゴム材料が挙げられる。そして、これらの有機材料製のベルト部材ではグラスファイバーやカーボンファイバーのような補強材を芯線として用いたり、プーリとの接触部にナイロン織布を用いて複合化したものが好ましく用いられる。
【００６１】
また、本発明に係るインクジェットプリンタでは、ステンレスベルトの他にステンレスワイヤを用いるものであってもよい。
【００６２】
モータ２６ａによりプーリ２６ｂが回転すると、ベルト２６ｃに固着して搭載されたキャリッジ２２は図中矢印Ｘの方向に沿って移動する。ガイドレール２６ｄは互いに平行な２本の丸棒で、かつキャリッジ２２の挿通穴を貫通していてキャリッジ２２が滑走するようにしてある。このためベルト２６ｃに加わるキャリッジ２２の自重を緩和させるとともに、キャリッジ２２の往復移動の方向は一直線上となる。
【００６３】
モータ２６ａの回転方向を逆転させるとキャリッジ２２の移動方向は変更され、回転数を変更するとキャリッジ２２の移動速度が変更されるので、キャリッジ２２の加速度調整が可能である。
【００６４】
インクカートリッジ２４は内部にインクタンクを有している。インクタンクのインク供給口はインクカートリッジ２４をキャリッジ２２にセットしてインク供給パイプと接続されると開口し、接続が解除されると閉鎖され、ヘッドにインクが供給される。キャリッジ２２にはインクカートリッジ２４の取り付け部が設けてあり、噴射用のＹ、Ｍ、Ｃ、Ｋの各色のインクを納めたインクカートリッジを着脱できるようになっている。インクカートリッジ２４は、４色のうちＫ（黒）のインクタンクだけを別のカートリッジ２４Ｋに納め、他の３色のインクタンクは一つのカートリッジ２４Ｃに納めた。
【００６５】
フレキシブルケーブル２５は、可撓性を有する樹脂製のフィルムに、データ信号線、電源線等を含む配線パターンをプリントしたもので、キャリッジ２２と制御基板２９との間で画像データ、制御信号などを転送し、キャリッジ２２の移動に追従する。なお、制御基板２９からの画像データはシリアル転送されるので、フレキシブルケーブル２５の接点数は少ない。
【００６６】
エンコーダ２７は透明な樹脂フィルムに所定の間隔で目盛りをつけたもので、この目盛りをキャリッジ２２に設けた光センサにより検出して、キャリッジ２２の移動速度を検知する。
【００６７】
紙搬送機構２８は図中矢印Ｙで示した副走査方向（ヘッドの往復走査方向と直交する方向）に記録紙Ｐを搬送させる機構で、搬送モータ２８ａ、搬送ローラー対２８ｂ、２８ｃを含んで構成される。搬送ローラー対２８ｂと搬送ローラー対２８ｃは搬送モータ２８ａにより駆動される。記録紙Ｐは給紙機構（図示せず）から送り出されてから一定速度で回転させられている搬送ローラー対２８ｂに挟持され、給紙ガイド（図示せず）によって副走査方向に搬送の向きを修正させられたうえで搬送ローラー対２８ｃに挟持されて搬送される。
【００６８】
このようにして記録紙Ｐをヘッドの往復走査方向に直交する方向に搬送させつつ、キャリッジ２２を往復走査方向に移動させ、ヘッドから噴出したインクを付着させて記録紙Ｐの片面の所定範囲に画像を記録する。
【００６９】
画像形成に用いられるインクとしては、特開平９−７１７４３号公報のように、アルキル基の炭素数１８〜３６の脂肪酸エステルと、ダイマー酸ベースのポリアミドを併用したもの、特開２０００−４４８５７号公報のように、光硬化性組成物中にバインダーを分散させたもの、特開平９−７１７４３号公報、特開２０００−２９７２３７号公報、特開２０００−８５２３６号公報、特開平５−１２５４号公報に記載されているもの等、周知のインクを用いることが可能であり、特別の限定はない。
【００７０】
図３は本発明の実施の形態に係るＩＣカード製造装置におけるデータ処理及び制御を行う系のブロック図である。
【００７１】
制御装置としてのデータ処理部３２は、ホストコンピュータ３６から受け取ったイメーエジデータを編集処理して、画像形成制御部３１に伝送し、画像形成制御部３１はインクジェット記録装置３０を制御して、ＩＣカードに画像を記録する。記録される画像は、例えば、後に説明する図７に示すようなものである。データ処理部３２は、また、ＩＣに情報を書き込む書込部としてのＩＣリーダ／ライタ３３を制御して、所定の情報を図１、７におけるＩＣ５に書き込む。
【００７２】
インクジェット記録装置３０が記録する情報とＩＣリーダ／ライタ３３がＩＣチップ５に記録する情報には少なくとも一部共通した情報が含まれる。このような共通した情報は、カード所有者を特定する情報であり、例えば、氏名、登録番号、又は氏名及び登録番号を組み合わせた情報である。
【００７３】
３４は記録装置としての基本ディスク装置であり、ＩＣカード作成装置を作動させる基本ソフトウェア、アプリケーションソフトウェアのプログラムが記憶されている他、ホストコンピュータ３６から受け取った情報等の各種データを記憶する。また、３５は通信制御部であり、ホストコンピュータ３６との間の通信を制御する。
【００７４】
図４は本発明の実施の形態に係るＩＣカード製造装置の一例を示す。
【００７５】
コアシートの元巻き４０からコアシート用ウェブＷ１が、及びオーバーラミネートの元巻き４１からオーバーラミネート用ウェブＷ２がそれぞれ供給され、ウェブＷ２にはインクジェット記録装置３０により、所定の情報が画像として記録される。
【００７６】
ウェブＷ１、Ｗ２は一体化手段４３により、加熱や紫外線等により互いに接着され、一体かされる。なお、一体化手段４３では、コアシートの凹部にＩＣチップ及びアンテナが組み込まれる。
【００７７】
リーダ／ライタ４４によりＩＣに所定の情報が書き込まれた後に、カッタ４５によりカードＣＤとして形成され、カードスタッカ４６に集積される。
【００７８】
図５は、本発明の実施の形態に係るＩＣカード製造装置の他の例を示す。
【００７９】
図５に示す例では、画像はコアシートに書き込まれる。すなわち、コアシートの元巻き４０から供給されたウェブＷ１にインクジェット記録装置３０により情報の画像書込が行われる。画像書込の後に、コータ４７により保護層を構成するオーバーコート層が塗布される。この例では、保護層は紫外線硬化樹脂で形成され、塗布後に、紫外線ランプ４８で照射され硬化して保護層が形成される。保護層形成後に、リーダ／ライタ４４でＩＣに情報の記録を行い、カッタ４５でカードＣＤを形成した後に、カードスタッカ４６に集積される。
【００８０】
図６は、本発明の実施の形態に係るＩＣカード製造装置の更に他の例を示す。
【００８１】
図６に示す例では、コアシートのウェブＷ１にインクジェット記録装置３０により情報の画像書込を行うとともに、保護層としてのオーバーコート層が形成される。すなわち、インクジェット記録装置３０は、画像形成用のインク噴射ヘッド３０ａとともに、オーバーコート層を塗布するインク噴射ヘッド３０ｂを有する。インク噴射ヘッド３０ｂからウェブＷ１の全面に紫外線硬化樹脂を含有するインクを噴射することにより、オーバーコート層が形成され、形成されたオーバーコート層は紫外線ランプ４８による紫外線照射で硬化し保護層が形成される。
【００８２】
図７は本発明の実施の形態に係るＩＣカードの例を示す。
【００８３】
ＩＣカード１の表面に形成された図示の画像は、図１における画像７であり図２に示すインクジェット記録装置２により形成されたものである。
【００８４】
なお、社名や背景模様のように、全カードに共通した画像は、予め印刷により形成されていてもよい。図示のように画像には、カード所有者の顔写真１０、登録番号１１、カード所有者の氏名１２及び識別画像１３が形成されている。各カード毎に異なる画像、すなわち、顔写真１０、登録番号１１、氏名１２及び識別画像１３は、図２に具体的に示した図３におけるインクジェット記録装置３０により形成される。図３に示すように、インクジェット記録装置３０は、ホストコンピュータ３６から取り込んだ各カード毎のイメージデータに基づいて画像記録を行うので、各カード毎にに異なり、各カード所有者を特定する画像が記録される。
【００８５】
識別画像１３を含めて、図７に示す画像は解像度６００〜９６００ｄｐｉで形成される。インクジェット記録法はこのような高解像度の画像記録に適しており、且つ、前記のように各カード毎に異なる画像を形成することができるので、ＩＣカードの画像形成に適している。インクジェット法は、また、多色印刷に適しており、図２に例示した４色印刷に限られず、インク噴射ヘッドの数を増すことにより、所望の多色印刷を行うことができ、色彩表現に富んだ精細な画像を形成することが可能である。また更に、微少な面積内に多くの情報を記録することが可能である。
【００８６】
図８は識別画像１３の詳細を示す。
【００８７】
図７において線で示される識別画像の拡大図は図８のとおりであり、識別画像の線１３は、文字や数字の集合体からなる。
【００８８】
図８（ａ）〜図８（ｄ）は、肉眼で見た場合、又は低解像度のスキャナで読み取った場合、一本の線として読み取られる。しかしながら、拡大図では、図８（ａ）と図８（ｂ）とでは数字の配列が異なり、図８（ｄ）は図８（ｃ）に比較して欠落部ｄｆを有する。
【００８９】
このような文字又は数字の配列や欠落部ｄｆを、カード所有者の特定する情報とすることにより、特殊な検査装置で検査して初めて記録されている情報が読み取られる情報が書き込まれる。
【００９０】
カード所有者を特定する情報としては、図７に示した氏名の情報、登録番号の情報等があり、これらを組み合わせた情報、あるいは、氏名又は登録番号に他の情報を組み合わせたものが用いられる。他の情報の例としては、キャッシュカードであれば、口座番号等があり、資格証明書であれば、資格の種類の情報があり、社員証であれば、部署の情報がある。
【００９１】
図９は識別画像としてのマイクロ画像の他の例である。
【００９２】
図９では、写真の背景模様が識別画像１３として形成される。
【００９３】
識別画像１３は、肉眼で見た場合には、中間濃度部として観察されるが、拡大して見た場合には、図９（ｂ）に示すように、微細な線ｆｐの集合体からなる。そして、集合体ｆｐに欠落部ｆｄを形成し、該欠落部ｆｄをカード所有者を特定する情報とすることにより、識別画像１３にカード所有者を特定する情報が書き込まれる。
【００９４】
本発明に係るＩＣカードでは、図１及び図７に示すＩＣチップ５に必要な情報が書き込まれるが、該情報には、前記に説明したカード所有者を特定する情報が含まれる。すなわち、図７〜図９に示す識別画像１３に記録された情報がＩＣチップ５に書き込まれる。このように、カード所有者を特定する情報が、識別画像１３及びＩＣチップ５に書き込まれるので、カードの偽造、変造、改ざん等は、識別画像１３から読み取った情報とＩＣから読み取った情報とを照合することにより、確実に発見することができる。
【００９５】
すなわち、識別画像は、６００ｄｐｉ〜９６００ｄｐｉの高解像度で記録された、図７〜９に示すマイクロ画像であるので、通常のカラー複写機やスキャナでは読取や複写を行うことができないとともに、識別画像に記録されている情報を目視で読み取ることができない。すなわち例えば、図７、８における線１３を図８に示すような文字として読み取ることができない。
【００９６】
偽造や変造を防止し、また、これらの不正行為により作製されたカードを通常の使用者には発見できないが、確実に検出することを可能にするために、本発明においては、図７に示す画像１０〜１３中に暗号化された情報を記録することを行っている。
【００９７】
図１０はこのような記録を行うフローチャートである。
【００９８】
カード所有者の個人情報、例えば、氏名、住所、登録番号、パスワード等の一つ又はこれらの組み合わせたもの、或いは、カード所有者の氏名の字画数等の情報５０を５１において、パラメータ変換して、カード所有者特有の変換パラメータを作成する。
【００９９】
カードに記録する画像５２に対して、５３において前記変換パラメータを用いて画像処理に、画像中に暗号化情報を組み込む。
【０１００】
５４において、暗号化された情報を含む画像をカードに書き込む。このようにした書き込まれた画像は、例えば、図７〜９に示すような目視では確認できないマイクロ画像を含んだ画像である。
【０１０１】
カード所有者氏名の字画数を用いた簡便な暗号化の例を次に説明する。
【０１０２】
図７における顔画像１０の輪郭枠１０ａの左端を０とし、該左端から１００＋（カード所有者氏名の字画数）×ｎ番目のｍ画素を印字しない空白画素とする。ｎ、ｍは自然数であり、画像の大きさや画像の解像度等に応じて適宜選択される。
【０１０３】
或いは、識別画像１３を形成する画像データに対して、前記に類似した処理を次のように施す。
【０１０４】
識別画像１３の上端からカード所有者氏名の字画数番目と次の文字をカード所有者の性及び名のイニシアル英字とする。
【０１０５】
更に、偽造や変造を防止するには、図１１に示す二次元コードをＩＣカードに形成し、該二次元コードにカード所有者を特定する情報を記録することが望ましい。二次元コードとしては、ＱＲコード、ＤＡＴＡ  ＭＡＴＲＩＸ、ＰＤＦ４１７、ＭＡＸＩ  ＣＯＤＥ、ＶＡＲＩ  ＣＯＤＥ等がある。
【０１０６】
また更に、偽造や変造を防止する手段として、識別画像１３及びＩＣに指紋、瞳、声紋等のバイオメトリクス情報を書き込むことが望ましい。
【０１０７】
また更に、偽造を防止を完全なものとするには、図７に示す画像１０〜１３や図９に示す画像の少なくとも一部を鱗片顔料を含有する像により形成され、反射角度により色が変わる画像で構成することが望ましい。
【０１０８】
鱗片顔料は、鱗のような薄片状の金属粉、雲母、またはこれら薄片状無機材料からなる芯体表面を金属、合金および金属酸化物から選ばれた少なくとも１種で被覆したものであり、虹彩色のパール顔料やパールチップ等がその一例として挙げられる。
【０１０９】
この発明に好ましく用いられる鱗片顔料としては、雲母に反射性（高虹彩反射）を与える薄膜被膜として、可視域に透明で屈折性が２．０以上ある金属酸化物あるいは金属硫化物などを被覆したもので、例えば、Ｓｂ２Ｓ３、Ｆｅ２Ｏ３、ＰｂＯ、ＺｎＳｅ、ＣｄＳ、Ｂｉ２Ｏ３、ＴｉＯ２、ＰｂＣｌ２、ＣｅＯ２、Ｔａ２Ｏ５、ＺｎＳ、ＺｎＯ、ＣｄＯ、Ｎｄ２Ｏ３、Ｓｂ２Ｏ３、ＳｉＯ及びＩｎＯ３の単層の被覆、もしくは２層に被覆することにより形成される。
【０１１０】
雲母と金属酸化膜が組み合わされた時、その屈折率の差が０．４より大きいことから、入射した白色光の反射量が多く、また、同時に雲母と金属酸化膜の界面で副屈折を起こすことから、高虹彩反射性となり、変色効果をより効果的に助長する働きをする。この時、雲母を被覆する金属酸化膜の膜厚を制御することで任意の色調の高虹反射性を持った鱗片顔料とすることができる。
【０１１１】
膜厚は１０〜１００００Å、望ましくは２００〜２０００Åの範囲の膜厚が可視域に対して高虹彩反射性となるので望ましい。このような鱗片顔料の市販のものとしては「Ｉｒｉｏｄｉｎ」（商品名、ＭＥＲＣＫ社製）がある。「Ｉｒｉｏｄｉｎ」は天然マイカの表面を酸化チタン及び酸化鉄等の高屈折率の金属酸化物で被覆した安定した無機鱗片顔料であり、屈折率の高い酸化チタンの層と屈折率の低いマイカ及び周りの媒体との境界で反射した光が真珠光沢をもたらすものである。この「Ｉｒｉｏｄｉｎ」には、被覆された酸化チタンの膜厚を変えることによって虹彩色の特定な色を強調させることができる。さらに、光干渉性膜を多層積層した光干渉性顔料等もこの発明に好適に用いられる。
【０１１２】
このような光干渉性顔料は、具体的には、例えばＳＨＣＰＡ社から商品名ＯＶＩとして市販されている。このような鱗片顔料は有色色料との混合物にビヒクル、添加剤を加えインキ化して用いられる。
【０１１３】
添加剤としては、熱溶融性化合物もしくは熱可塑性化合物を用いることが好ましい。熱溶融性化合物としては、カルナバ蝋、キャンデリラワックス、木蝋、オウリキュリー蝋、ライスワックス、ホホバ油及びエスパル蝋等の植物蝋；蜜蝋、昆虫蝋、セラック蝋及び鯨蝋、ラノリン等の動物蝋；パラフィンワックス、マイクロクリスタリンワックス、ペトロラタム、エステルワックス及び酸化ワックス等の石油蝋；ならびに、モンタン蝋、オゾケライト及びセレシン等の鉱物蝋；フィッシャートロプシュワックス、ポリエチレンワックス、モンタンワックス誘導体、パラフィンワックス誘導体、マイクロクリスタリンワックス誘導体、硬化ヒマシ油、硬化ヒマシ油誘導体等の合成ワックス等、所謂ワックス類を挙げることができ、更にこれらのワックス類などの他に、パルミチン酸、ステアリン酸、マルガリン酸及びべへン酸等の高級脂肪酸；パルミチルアルコール、ステアリルアルコール、ベヘニルアルコール、マルガニルアルコール、ミリシルアルコール及びエイコサノール等の高級アルコール；パルミチン酸セチル、パルミチン酸ミリシル、ステアリン酸セチル及びステアリン酸ミリシル等の高級脂肪酸エステル；アセトアミド、プロピオン酸アミド、パルミチン酸アミド、ステアリン酸アミド、ベヘン酸アミド及びアミドワックス等のアミド類；ならびにステアリルアミン、ベヘニルアミン及びパルミチルアミン等の高級アミン類等が挙げられる。
【０１１４】
熱可塑性化合物としては、ポリアセトアセタール、ブチラール樹脂、ポリウレタン樹脂、セルロース樹脂、ポリスチレン系樹脂、ポリエチレン系樹脂、ポリプロピレン系樹脂、ポリエステル系樹脂、ポリアミド系樹脂、アクリル樹脂、ポリカーボネート樹脂等が挙げられる。
【図面の簡単な説明】
【０１１５】
【図１】本発明の実施の形態に係るＩＣカードの例の断面図である。
【図２】本発明において用いられ、本発明の実施の形態を構成するインクジェット記録装置の例を示す図である。
【図３】本発明の実施の形態に係るＩＣカード製造装置におけるデータ処理及び制御を行う系のブロック図である。
【図４】本発明の実施の形態に係るＩＣカード製造装置の一例を示す図である。
【図５】本発明の実施の形態に係るＩＣカード製造装置の他の例を示す図である。
【図６】本発明の実施の形態に係るＩＣカード製造装置の更に他の例を示す図である。
【図７】本発明の実施の形態に係るＩＣカードの例を示す図である。
【図８】識別画像の詳細を示す図である。
【図９】識別画像としてのマイクロ画像の他の例を示す図である。
【図１０】画像に暗号化情報を組み込むフローチャートである。
【図１１】二次元コードを示す図である。
【符号の説明】
【０１１６】
１  ＩＣカード
１０  顔写真
１１  登録番号
１２  氏名
１３  識別画像
３０  インクジェット記録装置
３１  画像形成制御装置
３２  データ処理部
３３  ＩＣリーダ／ライタ
３４  基本ディスク装置
３５  通信制御部
３６  ホストコンピュータ
【図１】
2005135145.tif 000003
【図２】
2005135145.tif 000004
【図３】
2005135145.tif 000005
【図４】
2005135145.tif 000006
【図５】
2005135145.tif 000007
【図６】
2005135145.tif 000008
【図７】
2005135145.tif 000009
【図８】
2005135145.tif 000010
【図９】
2005135145.tif 000011
【図１０】
2005135145.tif 000012
【図１１】
2005135145.tif 000013